(57)【要約】【課題】立体ギャザーの起立状態を安定して保持し、尿を確実に堰き止め、尿を十分に確実に吸収する失禁パッド、尿パッド等の吸収性物品を提供する。【解決手段】トップシート１とバックシート２の間に介在される吸収体３と、吸収体３の長手方向両側部の近傍において長手方向に沿ってバックシート２を覆う立体ギャザー４と、から成り、バックシート２は立体ギャザー４の幅方向に巻き込まれ、ポリマー等の吸収性物質５ｃが不織布５ａに水溶性のホットメルト接着剤等の水溶性接着剤５ｂで固着され、吸収性物質５ｃが固着された不織布５ａが立体ギャザー４内部に挿入され、立体ギャザー４の起立状態を保持し尿を確実に堰き止める。吸収性物質５ｃが不織布５ａに水溶性接着剤５ｂで固着されるため、吸収性物質５ｃが立体ギャザー４内部で尿により流動化されつつ尿を十分確実に吸収する。【選択図】図２
2005287792.tif 000002
【特許請求の範囲】
【請求項１】
透液性のトップシートと、
バックシートと、
前記トップシートと前記バックシートの間に介在される吸収体と、
前記吸収体の長手方向両側部の近傍において前記長手方向に沿って前記バックシートを覆う立体ギャザーと、から成り、
前記バックシートは前記立体ギャザーの幅方向に巻き込まれ、
吸収性物質が前記立体ギャザーを構成する不織布に水溶性接着剤で固着されたことを特徴とする吸収性物品。
【請求項２】
前記吸収性物質が固着された前記不織布が前記立体ギャザー内部に挿入され、前記立体ギャザーの起立状態を保持し尿を堰き止める請求項１記載の吸収性物品。
【請求項３】
前記吸収性物質が前記立体ギャザー内部で前記尿により流動化されつつ前記尿を吸収する請求項１記載の吸収性物品。
【発明の詳細な説明】
【技術分野】
【０００１】
本発明は、使い捨て失禁パッド、尿パッド等の吸収性物品に関する。
【背景技術】
【０００２】
従来、例えば、特開２０００−２７１１６９号公報で、立体ギャザー内部に吸収性ポリマーから成る吸収体が挿入された吸収性物品が提案されている。  
【０００３】
【特許文献１】特開２０００−２７１１６９号公報
【発明の開示】
【発明が解決しようとする課題】
【０００４】
そこで、本発明は、立体ギャザーの起立状態を安定して保持し、尿を確実に堰き止め、尿を十分に確実に吸収する失禁パッド、尿パッド等の吸収性物品を提供することを目的とする。
【課題を解決するための手段】
【０００５】
請求項１の本発明は、透液性のトップシートと、
バックシートと、
前記トップシートと前記バックシートの間に介在される吸収体と、
前記吸収体の長手方向両側部の近傍において前記長手方向に沿って前記バックシートを覆う立体ギャザーと、から成り、
前記バックシートは前記立体ギャザーの幅方向に巻き込まれ、
吸収性物質が前記立体ギャザーを構成する不織布に水溶性接着剤で固着されたことを特徴とする吸収性物品である。
請求項２の本発明は、前記吸収性物質が固着された前記不織布が前記立体ギャザー内部に挿入され、前記立体ギャザーの起立状態を保持し尿を堰き止める請求項１記載の吸収性物品である。
請求項３の本発明は、前記吸収性物質が前記立体ギャザー内部で前記尿により流動化されつつ前記尿を吸収する請求項１記載の吸収性物品である。
【発明の効果】
【０００６】
請求項１の本発明によれば、図２、図３に示されるように吸収性物質５ｃが立体ギャザー４を構成する不織布５ａに水溶性のホットメルト接着剤等の水溶性接着剤５ｂで固着される。  このため、立体ギャザー４の起立状態を安定して保持し、尿を確実に堰き止め
請求項２の本発明によれば、吸収性物質５ｃが固着された不織布５ａが立体ギャザー４内部に挿入され、立体ギャザー４の起立状態を保持し尿を確実に堰き止める。  
請求項３の本発明によれば、吸収性物質５ｃが不織布５ａにホットメルト接着剤等の水溶性接着剤５ｂで固着されるため、図４に示されるように吸収性物質５ｃが立体ギャザー４内部で尿により流動化されつつ尿を十分確実に吸収する。
【発明を実施するための最良の形態】
【０００７】
以下、本発明を、その実施例に基づいて、図面を参照して説明する。
【実施例１】
【０００８】
図１、図２に示されるように、本発明の実施例１の吸収性物品６は、不織布等からなる透液性のトップシート１と、ポリシートのみ、ポリシートと不織布、あるいは、不織布のみから成るバックシート２との間に、綿状パルプ等の吸収体３を介在させた構造である。なお、本発明の対象となる紙おむつ型式は、テープ式紙おむつ、パンツ式紙おむつのいずれでも良く、かつ装着対象者も大人用、ベビー用のいずれでも良い。以下、吸収性物品６について詳述する。
吸収体３は、図１に示されるように、方形に成形されたものが使用されているが、着用状況に合わせて略砂時計形状のものも可能である。その幅寸法は股間部への当たりによって着用者にゴワ付き感を与えない寸法幅となっている。この吸収体３は、形状保持とトップシート１を透過した体液の拡散性向上のためにクレープ紙（図示せず）によって囲繞されている。
【０００９】
吸収体の表面側（肌当接面側）を覆うトップシート１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート１に多数の透孔を形成した場合には、尿などが速やかに吸収されるようになりドライタッチ性に優れたものとなる。
【００１０】
バックシート２は、図２に示されるように、吸収体３の裏面側（非肌当接面側）を覆い、さらに両側部が吸収性物品６の表面側に巻き込まれ、立体ギャザー４の幅方向の途中の所定位置まで延在する。バックシート２の材質は、ポリエチレンまたはポリプロピレンなどのプラスチックシートなどが用いられるが、近年はムレ防止の点から透湿性を有するものが好適に用いられる。この遮水・透湿性シートは、たとえばポリエチレンやポリプロピレン等などのオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。ポリシートのみ、ポリシートと不織布、あるいは、不織布から成るバックシート２の前端部１１および後端部１２では、吸収体３の存在しないエンドフラップ部１１ａ、１２ａが形成され、同様に両側部では吸収体３の存在しないサイドフラップ部１１ｂ、１２ｂが形成されている。
【００１１】
本発明の実施例１の吸収性物品６の表面側両側部には、トップシート１の側部を覆うとともに、バックシート２の側縁を超えてバックシート２を覆うように所定の幅位置まで延在する立体ギャザー４が配設されている。すなわち、立体ギャザー４の内方側が二重に折り返され、この折返し部分に弾性伸縮部材８が配設され、内方側シート部分が弾性伸縮部材８の伸縮力を利用して表面側に起立するようになっている。この弾性伸縮部材８は、足回りの隙間を無くし漏れを無くすためのものである。
さらに、不織布５ａは立体ギャザー４を構成し、図２、図３ａに示されるようにポリマー等の吸収性物質５ｃが不織布５ａに水溶性のホットメルト接着剤等の水溶性接着剤５ｂで固着され、吸収性物質５ｃが固着された不織布５ａが立体ギャザー４内部に挿入され、立体ギャザー４の起立状態を保持し尿を確実に堰き止める。  図３ｂに示されるように不織布５ａは無く、立体ギャザー４自体が不織布から成り、ポリマー等の吸収性物質５ｃが立体ギャザー４に水溶性のホットメルト接着剤等の水溶性接着剤５ｂで固着される場合も有る。
さらに、吸収性物質５ｃが不織布５ａにホットメルト接着剤等の水溶性接着剤５ｂで固着されるため、図４に示されるように吸収性物質５ｃが立体ギャザー４内部で尿により流動化されつつ尿を十分確実に吸収する。  この水溶性接着剤５ｂは、体液との接触により接着力が弱まるような接着剤、例えば、ポリビニルアルコール、ポリアルキレンオキサイド等を主成分とする水分散型ホットメルト接着剤、あるいは、澱粉糊、カルボキシメチルセルロース等の水溶性接着剤から成る。
また、ポリマー等の吸収性物質５ｃは、尿により膨潤し、立体ギャザー４も膨らんで人体７にフィットし易くなる。
【産業上の利用可能性】
【００１２】
本発明は、失禁パッド、尿パッド等の吸収性物品であり、装着対象となるおむつ型式は、テープ式おむつ、パンツ式おむつのいずれでも良く、かつ装着対象者も大人用、ベビー用のいずれにも適用可能である。又、吸収性物品単独にても男性の排尿に供することも可能である。
【図面の簡単な説明】
【００１３】
【図１】本発明の実施例１の斜視図である。
【図２】図１の実施例１のＢ−Ｂ線断面図である。
【図３ａ】図１の実施例１の部分拡大断面図である。
【図３ｂ】図１の実施例１の部分拡大断面図である。
【図４】本発明の実施例１の使用状態の部分拡大断面図である。
【符号の説明】
【００１４】
１    トップシート  ２  バックシート    ３    吸収体  
４  立体ギャザー    ５ａ  不織布        ５ｂ  水溶性接着剤  
５ｃ  吸収性物質    ６    吸収性物品    ７    人体            
【図１】
2005287792.tif 000003
【図２】
2005287792.tif 000004
【図３ａ】
2005287792.tif 000005
【図３ｂ】
2005287792.tif 000006
【図４】
2005287792.tif 000007